(57)【要約】【課題】  スクリーン２００における所望の色の、見やすい画像を投写するための色補正テーブルの作成を、迅速かつ簡単に行うことができるプロジェクタ１０を提供する。【解決手段】  プロジェクタ１０は、画像入力装置１００から入力された画像データを投写するプロジェクタであって、スクリーン２００に白色光を投写する白色ＬＥＤ３００と、スクリーン２００からの反射光を取り入れる光センサ１１０と、光センサ１１０が測定した前記反射光の色成分の反射特性を色座標値に変換するＸＹＺ値変換部５０と、ＸＹＺ値変換部５０の値に基づき色補正テーブルを生成する色補正テーブル生成部６０と、前記色補正テーブルを書き換える色補正部３０と、を備え、プロジェクタ１０の電源をＯＮしてからランプが所定の輝度に達する間に、白色ＬＥＤの白色光をスクリーン２００に投写させて、スクリーン２００の表面状態に対応した色補正テーブルを生成する。【選択図】      図１
2005236650.tif 000002
【特許請求の範囲】
【請求項１】
画像入力装置から入力された画像データを投写光学系から投写するプロジェクタであって、
投写面に白色光を投写する白色ＬＥＤと、
前記白色光の前記投写面からの反射光を取り入れる光センサと、
前記光センサが測定した前記反射光の反射特性に基づき色補正テーブルを生成する色補正テーブル生成部と、
前記色補正テーブルを書き換える色補正部と、
を備えることを特徴とするプロジェクタ。
【請求項２】
請求項１に記載のプロジェクタにおいて、
前記白色光の基準投写面における色成分の反射特性と、前記白色光の所定投写面における色成分の反射特性と、の差を演算して前記色補正テーブルを生成し、
前記画像入力装置から入力された画像データが、書き換えられた前記色補正テーブルに基づき色補正され、前記所定投写面に投写されることを特徴とするプロジェクタ。
【請求項３】
請求項１または請求項２に記載のプロジェクタにおいて、
前記画像入力装置から入力される画像データが投写される前に、前記白色ＬＥＤが点灯され、前記色補正テーブルを生成及び書き換えることを特徴とするプロジェクタ。
【請求項４】
請求項１ないし請求項３のいずれか一項に記載のプロジェクタにおいて、
前記白色ＬＥＤが発する白色光が、前記投写光学系から前記投写面に投写されることを特徴とするプロジェクタ。
【請求項５】
請求項１ないし請求項４のいずれか一項に記載のプロジェクタにおいて、
前記色補正動作が終了した後に、
前記画像入力装置から前記投写光学系に至る光路から前記白色ＬＥＤを離脱させる駆動装置を備えることを特徴とするプロジェクタ。
【請求項６】
請求項１ないし請求項４のいずれか一項に記載のプロジェクタにおいて、
前記画像入力装置から前記投写光学系に至る光路の当該投写光学系の前にダイクロイックミラーを備えることを特徴とするプロジェクタ。
【発明の詳細な説明】
【技術分野】
【０００１】
本発明は、白色ＬＥＤによる色補正機能を備えるプロジェクタに関する。
【背景技術】
【０００２】
従来、プロジェクタなどの投写型画像表示装置では、スクリーン、壁などの投写面が異なると、その表面の色、濃淡、凹凸などの表面状態によって投写画像の色が変化して、投写された画像の見え方が変わってしまっていた。即ち、投写面の色や表面の状態が変わることを考慮しなければ所望の色の再現を行うことは困難であった。
従来、このような課題を解決するために、プロジェクタからの出力の所定投写面の色情報と、輝度情報とを検出する投写面情報検出手段と、その検出情報に基づいて色補正が行われる補正回路と、を備える補正回路付きプロジェクタが知られている（例えば、特許文献１）。
【０００３】
また、所定投写面の色情報を記憶する手段と、基準投写面の原色の混合量から所定投写面の原色混合量への変換を構築する原色変換手段と、実際に投写するための原色の混合量に変換するための色変換手段を備え、その色変換手段の出力を投写するプロジェクタが知られている（例えば、特許文献２）。
【０００４】
【特許文献１】特開平４−５３３７４号公報（第２頁〜第４頁、図１）
【特許文献２】特開２００３−３３３６１１号公報（第３頁、図２）
【発明の開示】
【発明が解決しようとする課題】
【０００５】
このような特許文献１や特許文献２では、プロジェクタから画像が投写される投写面の色情報を光センサ（色情報検出装置）で検出し、投写面上での色バランスを良好にするシステムを提供しているが、ともに、プロジェクタが投写する画像の色情報を検出して、色補正を行っている。プロジェクタは光源として高圧水銀ランプ等の高輝度ランプが採用されているが、このようなランプは、点灯してから所定の輝度に達するまでに少なくとも１０秒以上の時間がかかり、ランプを点灯し、画像が投写されてから色補正を行うために、実際にプレゼンテーションが可能になるまでに、時間が掛ってしまうというような課題がある。
【０００６】
本発明の目的は、所定投写面における所望の色の、見やすい投写表示を行うための色補正テーブルの生成を、迅速かつ簡単に行うことができるプロジェクタを提供することである。
【課題を解決するための手段】
【０００７】
本発明のプロジェクタは、画像入力装置から入力された画像データを投写光学系から投写するプロジェクタであって、投写面に白色光を投写する白色ＬＥＤと、前記白色光の前記投写面からの反射光を取り入れる光センサと、前記光センサが測定した前記反射光に基づき色補正テーブルを生成する色補正テーブル生成部と、前記色補正テーブルを書き換える色補正部と、を備えることを特徴とする。
【０００８】
ここで、画像入力装置としては、パーソナルコンピュータやビデオプレーヤー、メモリカード等の記憶媒体を採用することができる。
【０００９】
このような発明の構成によれば、投写される画像の投写面に対応する色補正が、プロジェクタの光源（ランプ）とは別に備えられた白色ＬＥＤ（Ｌｉｇｈｔ  Ｅｍｉｔｔｉｎｇ  Ｄｉｏｄｅ）を投写して行われる。従って、プロジェクタの電源をＯＮしてからプロジェクタの初期設定や点灯までの時間に、色補正を行うことができる。
また、色補正専用の光源（白色ＬＥＤ）をもつことで、プロジェクタのランプが充分な明るさになる前や、暗室などの暗い場所でも色補正動作ができるという効果がある。
さらに、白色ＬＥＤは、最高輝度に達するまでの時間が高圧水銀ランプなどよりも短く、短時間で色補正動作を行うことができる。
なお、白色ＬＥＤは、高圧水銀ランプ等より輝度のばらつきが小さいことも知られており、安定した色成分の反射特性を測定することができ、投写面における所望の色の投写画像を得ることができる。
【００１０】
また、前記白色光の基準投写面における色成分の反射特性と、前記白色光の所定投写面における色成分の反射特性と、の差を演算して前記色補正テーブルを生成し、前記画像入力装置から入力された画像データが、書き換えられた前記色補正テーブルに基づき色補正され、前記所定投写面に投写されることが好ましい。
ここで、基準投写面とは、例えば、標準拡散板などの可視光領域の反射率１に近いものが選択される。また、所定投写面とは、画像入力装置から入力された画像を投写する会議室などに設置されたスクリーンや壁等を示す。
【００１１】
この発明によれば、プロジェクタは、基準投写面における色成分の反射特性と所定投写面の色成分の反射特性とを測定し、それらの差を解消するように色補正が行われるので、所定投写面に投写される画像は、基準投写面に投写される画像に近い色の良好な画像を得ることができる。
【００１２】
また、前記画像入力装置から入力される画像データを投写する前に、前記白色ＬＥＤが点灯され、前記色補正テーブルを生成及び書き換えることが好ましい。
【００１３】
このような発明によれば、まず、白色ＬＥＤを点灯し、所定投写面における色成分の反射特性を測定し、色補正テーブルを生成してから、画像入力装置から入力される画像データの色補正の書き換えを行い、プロジェクタのランプが点灯され、画像投写が行われる前に色補正が終了する。従って、プロジェクタによる画像入力装置からの画像が投写される際には色補正された良好な色の画像を投写することができる。
また、プロジェクタのランプを点灯（画像投写）前に、色補正動作が行われるため、従来のプロジェクタを点灯してから色補正をするよりも、短時間でプレゼンテーションを開始することができる。
【００１４】
また、前記白色ＬＥＤが発する白色光が、前記投写光学系から前記投写面に投写されることが好ましい。
【００１５】
前述の白色ＬＥＤの設置位置は、特に限定されるものではないが、本発明の構造では、白色ＬＥＤは、例えば、液晶Ｌ／Ｖ（ライトバルブ）と投写光学系としての投写レンズの間の光軸上に備えられ、この投写レンズを経て所定投写面に投写されるため、白色ＬＥＤを、例えば、プロジェクタの筐体の外側に設置したり、プロジェクタ内に設置し、投写レンズとは別の光透過孔を設けるより、すっきりした外観のプロジェクタを提供することができる。
【００１６】
その上、投写レンズを通して投写されることにより、投写面に対して、画像入力装置からの投写画像と光軸が一致しているので、投写面の略同じ範囲に白色光が投写され、前述の光センサの測定位置の変動による測定値のばらつきを少なくすることができ、色補正値も安定して得られるので、所望の色の画像が得られやすいというような効果もある。
【００１７】
また、前記色補正動作が終了した後に、前記画像入力装置から前記投写光学系に至る光路から前記白色ＬＥＤを離脱させる駆動装置を備えることが好ましい。
【００１８】
ここで、白色ＬＥＤを投写レンズの光路前方に設置すれば、白色ＬＥＤは、上述の液晶ライトバルブからの画像の投写を妨げることになるが、前述のような構造によれば、白色ＬＥＤは、例えば、モータや電磁ソレノイド等の駆動装置で駆動し、光路の妨げにならない位置に移動させることができる。また、白色ＬＥＤを点灯する際には、前述のような投写レンズの光路前方に移動する。従って、簡単な構造で、白色ＬＥＤ点灯による色補正を可能にすることができる。
【００１９】
また、本発明では、前記画像入力装置から前記投写光学系に至る光路の当該投写光学系の前にダイクロイックミラーを備えることが好ましい。
なお、詳しくは後述するが、白色ＬＥＤは、前記光路に垂直方向の位置に配置される。
【００２０】
このような構造によれば、画像入力装置からの画像はダイクロイックミラーを透過し、投写レンズを経て投写され、白色ＬＥＤからの射出光は、ダイクロイックミラーで直角に曲げられて投写レンズを経て投写される。従って、ダイクロイックミラーを備えることにより、前述したような、白色ＬＥＤからの光を投写レンズを通して投写する構造と同様な効果を得ることができる。
その上、白色ＬＥＤは、前述したように移動しないので、構造が簡単になり、同じ効果を得るためのコストを低減することができる。
【発明を実施するための最良の形態】
【００２１】
以下、本発明の好適な実施の形態について図面を参照して説明する。
図１〜図７には、本発明の実施形態のプロジェクタが示されている。
【実施例１】
【００２２】
図１〜図３には、実施例１のプロジェクタ１０が示されている。
図１は、本実施例１の概略構成を示すブロック図である。図１において、本発明の実施例１に係るプロジェクタ１０は、パーソナルコンピュータ、メモリカード、ビデオプレーヤー等の画像入力装置１００から画像入力信号を画質調整ＩＣ２０に内蔵される色補正部３０と、液晶ライトバルブ（以降、Ｌ／Ｖと略称する）８０を駆動して画像の投写表示を行うＬ／Ｖ駆動部７０と、このＬ／Ｖ駆動部７０からの画像信号に基づき画像を出力するＬ／Ｖ８０と、所定投写面としてのスクリーン２００に画像を投写する投写光学系としての投写レンズ８６と、から構成されている。
【００２３】
さらには、後述する色補正テーブル生成に必要なマトリクスを保存するためのＥＥＰＲＯＭ（Ｅｌｅｃｔｒｉｃａｌｌｙ  ＥＰＲＯＭ）などの記憶装置５５と、色補正のための光源としての白色ＬＥＤ３００と白色ＬＥＤ３００を発光させるための白色ＬＥＤ駆動部３１０と、白色ＬＥＤからの光をスクリーン２００に投写するレンズ３０１と、スクリーン２００からの反射光を取り入れ、色成分の反射特性を測定するための光センサ１１０と、記憶装置５５に保存された色成分の反射特性と光センサ１１０の測定値とに基づき、スクリーン２００の色や表面状態を考慮した色補正テーブルを生成する色補正テーブル生成部６０と、を備えて構成されている。
【００２４】
また、光センサ１１０は、ＣＣＤ（Ｃｈａｒｇｅ  Ｃｏｕｐｌｅｄ  Ｄｅｖａｃｅｓ）センサを採用し、レンズ１１１と光学フィルタ（図示しない）を備えており、分光反射率測定に必要な分光放射分布、反射光の階調特性を記録し、ＸＹＺ値変換部５０にそのデータが入力される。前述の色補正テーブル生成部６０とＸＹＺ値変換部５０と白色ＬＥＤ駆動部３１０とは、ＣＰＵ４０に格納されている。
【００２５】
なお、本発明によるプロジェクタ１０では、画像入力装置１００から供給される入力信号がアナログ形式の場合、画質調整ＩＣ２０の前にＡ／Ｄ変換部を備え（図示しない）、デジタル信号に変換される。このデジタル画像信号は、色補正テーブル生成部６０によって生成される色補正テーブルを参照して、色補正部３０によってスクリーン２００の状態を考慮した所望の色補正がなされる。
【００２６】
色補正されたデジタル画像信号は、Ｄ／Ａ変換部（図示しない）によってアナログ信号に変換される。Ｌ／Ｖ駆動部は７０は、当該変換されたアナログ画像信号に基づき、Ｌ／Ｖを駆動して投写レンズ８６から画像の投写表示が行われる。
【００２７】
なお、本実施例１では、図１に示したように、光センサ１１０と白色ＬＥＤ３００は、投写レンズ８６とは、それぞれ別の位置に設置されている。
【００２８】
次に、本発明の実施例１に係るプロジェクタ１０の色補正の動作について図２、図３を参照して説明する。
なお、以下に説明する色補正テーブルの生成、書き込みなどの処理は、プロジェクタ１０のプログラム格納部（図示しない）に記録された画像処理プログラムを実行することにより行われる。
【００２９】
図２は、プロジェクタ１０の初期設定について説明するフローチャートが示されている。これは、基準投写面及び標準光センサにおける基準テーブルを作成するステップを示し、プロジェクタ出荷前に行われる。
まず、本発明のプロジェクタ１０の使用に先立ち、暗室内でプロジェクタ１０を起動し、白色ＬＥＤ３００を点灯し（ＳＴ１）、この白色ＬＥＤ３００による白色光が標準拡散板などの可視領域の反射率が１に近い基準投写面に投写される。基準投写面からの反射光の輝度値を標準光センサで測定し（ＳＴ２）、標準光センサからの出力電圧値（ＭＬＳ）と、この電圧値をＸＹＺ値変換部５０で変換されたＸＹＺ値とのデータ対のマトリクスを生成し、記憶装置５５に格納しておく。次に生成されたマトリクスに基づき、基準となるテーブルの生成・書換処理が行われる（ＳＴ３）。このステップ（ＳＴ３）まで行い、白色ＬＥＤ３００は消灯される（ＳＴ４）。なお、ＳＴ２を終了した段階で、白色ＬＥＤ３００を消灯することができる。
【００３０】
続いて、図３を参照して、本発明の実施例１に係るプロジェクタ１０の所定投写面としてのスクリーン２００における反射光の色補正について説明する。
図３は、所定投写面における色補正の動作を示すフローチャートである。図３においてまず、プロジェクタ１０の電源をＯＮ（ＳＴ１０）し、白色ＬＥＤを点灯させ（ＳＴ１１）、白色光がスクリーン２００に投写される。スクリーン２００からの反射光を光センサ１１０によって取り込み（ＳＴ１２）、反射光の反射特性を測定する（ＳＴ１３）。
【００３１】
光センサ１１０では、反射光の３刺激値ＬＭＳを電圧で出力し、ＸＹＺ値変換部５０によりＸＹＺ値に変換される。ここで、先述した（図２、参照）ように、予め初期設定され記憶装置５５に保存されているマトリクスに基づいて初期設定された基準テーブルに近づけるように、色補正値を計算処理して、新たな色補正テーブルの生成・書換処理が行われる（Ｓ１４）、白色ＬＥＤは消灯される（ＳＴ１５）。なお、反射光の反射特性を測定した（ＳＴ１３）ところで白色ＬＥＤ３００を消灯してもよい。
【００３２】
一方、プロジェクタ１０は、電源がＯＮされると（ＳＴ１０）、プロジェクタ１０の初期化、及び冷却ファンの駆動確認等、ランプ点灯準備が行われ（ＳＴ２０）、自動的にプロジェクタの光源としてのランプがＯＮされる。ランプは、前述したように、画像が投写できる状態の輝度に達するまでに少なくとも１０秒以上掛ることが一般的であり、この間に、白色ＬＥＤによるスクリーン２００の投写面に対応する色補正テーブルの生成と書換処理が終了しており、その後、ランプの輝度が画像投写可能な輝度に達すると、画像入力装置１００からの画像が色補正部３０によって好適に色補正された状態でスクリーン２００に投写される（ＳＴ２１）。
【００３３】
前述したようなＳＴ１０からＳＴ２１の動作は自動的に行われ、ユーザーは、電源をＯＮ（ＳＴ１０）操作だけ行えばよい。このような色補正動作は、プロジェクタ１０に格納されているプログラム（図示しない）によって制御されている。
【００３４】
従って、前述の実施例１によれば、投写される画像のスクリーン２００の表面状態に対応する色補正が、プロジェクタ１０の光源（ランプ）とは別に備えられた白色ＬＥＤ３００から発光される白色光を投写して行われる。従って、プロジェクタ１０の電源をＯＮしてからプロジェクタ１０の初期設定や点灯までの時間に、色補正を行うことができる。
また、色補正専用の光源（白色ＬＥＤ３００）をもつことで、プロジェクタ１０のランプが充分な明るさになる前や、暗室などの暗い場所でも色補正動作ができるという効果がある。
【００３５】
また、プレゼンテーションを開始する際に、色補正のためのパターン画像を投写し、色補正作業をする必要がなく、ユーザーに気づかれずに色補正された好適な画像を投写することができる。
さらに、白色ＬＥＤは、所定の輝度に達するまでの時間が高圧水銀ランプなどよりも短く、早く色補正動作を行うことができる。
なお、白色ＬＥＤは、高圧水銀ランプ等に比べ、輝度のばらつきが小さいことも知られており、安定した色成分の反射特性を測定することができ、投写面における所望の色の投写画像を得ることができる。
【実施例２】
【００３６】
次に、本発明のプロジェクタ１０の実施例２について図面を参照して説明する。
実施例２は、白色ＬＥＤ３００の設置場所を投写レンズ８６の光路手前にしたもので、他の構造は実施例１と同じであるため、共通部の説明は省略する。また、色補正動作も実施例１（図２、図３、参照）と同じである。
【００３７】
図４、図５は、それぞれ本実施例２のプロジェクタ１０の白色ＬＥＤ３００周辺の構造を示す部分平面図と部分正面図である。図１〜図３も参照して説明する。図４において、プロジェクタ１０は、Ｌ／Ｖ８０と、投写レンズ８６と、Ｌ／Ｖ８０と投写レンズ８６の間の光軸上に白色ＬＥＤ３００を備えている。Ｌ／Ｖ８０は、液晶表示素子Ｒ（赤）８３，Ｇ（緑）８２，Ｂ（青）８１と、Ｌ／Ｖ駆動部７０によって制御された光を合成するダイクロイックプリズム８５と、を備えている。投写レンズ８６は、フレーム３５０で保持され、スクリーン２００側の一部が筐体４００から突出されている。
【００３８】
白色ＬＥＤ３００は、支持板３０５に固着され、図示しないリード線で白色ＬＥＤ駆動部３１０と接続され、白色ＬＥＤ駆動部３１０によって発光される。フレーム３５０には、小型のモータ３２０が軸止されており、モータ３２０の回転軸に支持板３０５の端部が固定され、モータ３２０が回転されることによって、支持板３０５がモータ３２０の回転軸を回転中心にして回転される。従って、白色ＬＥＤ３００も同じように回転される。モータ３２０は、図示しないリード線によってＣＰＵ４０のモータ駆動部に接続され、モータ駆動部によって駆動制御される。
この白色ＬＥＤ３００の移動動作は、図５を参照して説明する。
【００３９】
図５は、白色ＬＥＤ３００の移動動作を示す図４の矢印方向から視認した部分正面図であり、移動動作を説明するために不要な部材は省略している。図５において、プロジェクタ１０の電源をＯＮして、白色ＬＥＤ３００を点灯したときの白色ＬＥＤ３００の位置が、図中、実線で示されている。この時、白色ＬＥＤ３００の光軸は、ダイクロイックプリズム８５と投写レンズ８６の光軸と一致している。色補正テーブルの生成・書き換えが終了すると白色ＬＥＤ３００は消灯され、同時にモータ３２０が回転され、支持板３０５と白色ＬＥＤ３００が、図中矢印Ａ方向に回転され、投写レンズ８６の光径より離脱した位置で（図中、二点鎖線で示す）停止する。この状態のとき、Ｌ／Ｖ８０から射出される光は、白色ＬＥＤ３００で妨げられることなく投写レンズ８６に入射される。
【００４０】
再び、白色ＬＥＤ３００が点灯される際には、モータ３２０が逆転され、白色ＬＥＤ３００が、投写レンズ８６の光軸位置まで移動される。
なお、支持板３０５の白色ＬＥＤ３００周縁部は、投写レンズ８６の光径よりわずかに大きく形成されており、反射光の反射特性を測定中にＬ／Ｖ８０から入射される画像が投写レンズ８６に入射されることはない。
【実施例３】
【００４１】
続いて、本発明の実施例３について図面を参照して説明する。実施例３は、実施例２の技術思想を基本にして、白色ＬＥＤ３００を水平方向に移動させる構造であって、実施例２と共通部分の説明は省略する。
図６は、実施例３の白色ＬＥＤ３００の移動動作を示す部分正面図である。図６において、白色ＬＥＤ３００が固着される支持板３０５の幅方向両端部には、ラック３１５が形成されている。支持板３０５は、図示しないが、フレーム３５０の一部で水平方向に摺動可能に保持されている。
【００４２】
フレーム３５０には、モータ３２０が固定されている。モータ３２０の回転軸には、ラック３１５と歯合するピニオン３２５が取り付けられる。白色ＬＥＤ３００は、点灯される時は、白色ＬＥＤ３００の光軸が投写レンズ８６の光軸と一致する位置（図中、実線で示す）にある。色補正動作が終了すると、白色ＬＥＤ３００が消灯され、同時にモータ３２０が回転されてピニオン３２５とラック３１５が歯合して支持板３０５が矢印Ｂ方向に水平に、白色ＬＥＤ３００が投写レンズ８６の光径から離脱するまで（図中、二点鎖線で示す）移動される。このような状態のとき、Ｌ／Ｖ８０からの画像は、投写レンズ８６に何の妨げもなく入射される。
【００４３】
再び、白色ＬＥＤ３００を点灯する際には、モータ３２０が逆転され、前述したように、白色ＬＥＤ３００は、投写レンズ８６の光軸と一致する位置まで移動される。
なお、支持板３０５の白色ＬＥＤ３００周縁部は、投写レンズ８６の光径よりわずかに大きく形成されており、色補正動作中にＬ／Ｖ８０から入射される画像が投写レンズ８６に入射されることはない。
【００４４】
従って、実施例２及び実施例３では、白色ＬＥＤ３００は、ダイクロイックプリズム８５と投写レンズ８６の間の光軸上に備えられ、この投写レンズ８６を経てスクリーン２００に投写されるため、白色ＬＥＤ３００を、プロジェクタ１０の筐体４００の外側に設置したり、プロジェクタ１０内に設置し、投写レンズ８６とは別の位置に光透過孔を設けるより、すっきりした外観のプロジェクタを提供することができる。
【００４５】
また、投写レンズ８６を通して投写されることにより、スクリーン２００に対して、画像入力装置１００からの投写画像と白色ＬＥＤ３００の光軸が一致しているので、スクリーン２００上の同じ範囲に白色光が投写され、前述の光センサ１１０の測定位置の変動による測定値のばらつきを少なくすることができ、色補正値も安定して得られるので、所望の色の画像が得られやすいというような効果もある。
【００４６】
さらに、白色ＬＥＤ３００は、点灯して色補正動作が行われている際には、支持板３０５でＬ／Ｖ８０から射出される光を遮断しているため、投写レンズ８６にその画像が入射されて、白色ＬＥＤ３００の白色光と混合されてスクリーン２００に投写されることがないため、色補正用の反射光は白色ＬＥＤ３００からの白色光だけとなるため、より、基準投写面に近い色の画像を投写することができるという効果がある。
【実施例４】
【００４７】
続いて、本発明の実施例４について図面を参照して説明する。実施例４は、実施例２、実施例３と技術思想を基本にしているが、白色ＬＥＤ３００を固定し、ダイクロイックミラー９０を備えていることが異なる。
図７は、実施例４のプロジェクタ１０の白色ＬＥＤ３００を含む周辺の構造を示す部分平面図である。図７において、プロジェクタ１０は、Ｌ／Ｖ８０と、投写光学系としての投写レンズ８６と、ダイクロイックプリズム８５と投写レンズ８６の間の光軸上にダイクロイックミラー９０を備えている。Ｌ／Ｖ８０は、液晶表示素子Ｒ（赤）８３，Ｇ（緑）８２，Ｂ（青）８１と、Ｌ／Ｖ駆動部７０によって制御された光を合成するダイクロイックプリズム８２と、から構成されている。投写レンズ８６は、フレーム３５０で支持され、投写面側の一部が筐体４００から突出されている。
【００４８】
また、白色ＬＥＤ３００は、ダイクロイックプリズム８５と投写レンズ８６との光軸に垂直方向のダイクロイックミラー９０横（図中、左側）に、フレーム３５０に固着されて配置されている。
【００４９】
白色ＬＥＤ３００が点灯されると、その白色光は図中、矢印Ｃ方向に進み、ダイクロイックミラー９０で直角に曲げられ、投写レンズ８６に進みスクリーン２００に投写される。そこで、反射光を光センサ１１０で取り込み、色補正が行われる。画像入力装置１００からの画像を投写するときには、白色ＬＥＤ３００は消灯され、この画像は、ダイクロイックミラー９０を直進して投写レンズ８６に進み、スクリーン２００に投写される。
【００５０】
従って、実施例４では、画像入力装置１００からの画像はダイクロイックミラー９０を透過し、投写レンズ８６を経て投写され、白色ＬＥＤ３００からの射出光は、ダイクロイックミラー９０で直角に曲げられ投写レンズを経て投写される。従って、ダイクロイックミラーを備えることにより、実施例２、実施例３で説明したような、白色ＬＥＤ３００からの光を投写レンズ８６を通して投写する構造と同等な効果を得ることができる。
また、実施例４では、白色ＬＥＤ３００を移動する必要がないので、簡単な構造で、実施例２、実施例３と同じ効果を得ることができ、コスト低減にも寄与する。
【００５１】
なお、本発明は前述の実施例に限定されるものではなく、本発明の目的を達成できる範囲での変形、改良等は本発明に含まれるものである。
例えば、前述の実施例１〜実施例４では、色補正のための光源として白色ＬＥＤ３００を採用しているが、光の３原色である赤（Ｒ）、青（Ｂ）、緑（Ｇ）のＬＥＤを選択して採用することができる。
このような場合、Ｒ，Ｇ，Ｂの３色のＬＥＤを備え、順次点灯して、各色に対応して色補正を行うことができる。そうすれば、基準投写面に投写される画像に、より一層近い色の画像を投写をすることができる。
【００５２】
また、前述の実施例１〜実施例４では、プロジェクタ１０の電源をＯＮしてから白色ＬＥＤ３００の点灯、色補正、画像の投写までのステップが自動的に行われているが、ステップ毎に、動作入力ボタン等の入力装置を操作して行うことができる。このような場合、上述の個々の動作を確認しながら次のステップに移行することができる。
この他、前述の実施例では、液晶ライトバルブを使用したプロジェクタを例にして説明しているが、これに限定されるものではなく、マイクロミラーなどを利用したプロジェクタにおいても前述の色補正を実施することにより同様な効果が得られる。
【００５３】
従って、前述の実施例１〜実施例４によれば、プロジェクタ１０の電源をＯＮしてからランプが所定の輝度に達する間に、白色ＬＥＤ３００の白色光をスクリーンに投写させて、スクリーン２００の表面状態に対応した色補正を行い、スクリーン２００における所望の色の、見やすい画像を投写できるプロジェクタを提供することができる。
【図面の簡単な説明】
【００５４】
【図１】本発明の実施例１に係るプロジェクタのブロック図。
【図２】本発明の実施例１に係るプロジェクタの初期設定のフローチャート。
【図３】本発明の実施例１に係るプロジェクタの色補正のフローチャート。
【図４】本発明の実施例２に係るプロジェクタの部分平面図。
【図５】本発明の実施例２に係るプロジェクタの部分正面図。
【図６】本発明の実施例３に係るプロジェクタの部分正面図。
【図７】本発明の実施例４に係るプロジェクタの部分平面図。
【符号の説明】
【００５５】
１０…プロジェクタ、３０…色補正部、５０…ＸＹＺ値変換部、５５…記憶装置、６０…色補正テーブル生成部、７０…Ｌ／Ｖ駆動部、８０…Ｌ／Ｖ、８６…投写光学系（投写レンズ）、１００…画像入力装置、１１０…光センサ、２００…投写面（スクリーン）、３００…白色ＬＥＤ、３１０…白色ＬＥＤ駆動部。
【図１】
2005236650.tif 000003
【図２】
2005236650.tif 000004
【図３】
2005236650.tif 000005
【図４】
2005236650.tif 000006
【図５】
2005236650.tif 000007
【図６】
2005236650.tif 000008
【図７】
2005236650.tif 000009